(57)【要約】【課題】反射部の端部近傍に配置された複数の光出射部を制御することにより、ローカルディミング制御を行うことが可能な表示装置を提供する。【解決手段】このテレビジョン装置（表示装置）１００は、表示部１と、表示部１に対向して配置され、照射された光を表示部１側に反射する反射シート５と、反射シート５の互いに異なる反射領域Ａ１〜Ａ４に光を照射可能なように、反射シート５の下方端部５ａ近傍に配置された光出射部６ａ〜６ｄと、光出射部６ａ〜６ｄごとに発光量を調整する制御を行う制御部３と、を備える。【選択図】図３
2018197823.tif 000002
【特許請求の範囲】
【請求項１】
表示部と、
前記表示部に対向して配置され、照射された光を前記表示部側に反射する反射部と、
前記反射部の互いに異なる反射領域に光を照射可能なように、前記反射部の端部近傍に配置された複数の光出射部と、
前記複数の光出射部ごとに発光量を調整する制御を行う制御部と、を備える、表示装置。
【請求項２】
前記複数の光出射部は、前記反射領域が互いに略重複しないように、前記反射領域に光を照射するように構成されている、請求項１に記載の表示装置。
【請求項３】
前記反射部は、前記光出射部から出射された光が、導光板を介さずに空間を介して前記反射部の前記反射領域に照射されるように構成されている、請求項１または２に記載の表示装置。
【請求項４】
前記反射部は、前記光出射部側の前記反射部の一方端部から、前記一方端部とは逆側の他方端部に向かって、前記表示部に近づくように傾斜している、請求項３に記載の表示装置。
【請求項５】
前記反射部は、前記表示部に沿って配置され、光を前記表示部側に反射する反射部本体と、前記反射部本体から前記表示部に向けて延びるとともに、前記光出射部からの光の出射方向に沿って延びており、前記反射部の前記反射領域を区画する仕切壁とを含む、請求項３または４に記載の表示装置。
【請求項６】
前記反射領域は、前記表示部の表示面と平行な面方向において、マトリクス状に配置され、
前記面方向のうち前記光出射部側の前記反射部の端部が延びる第１方向に直交する第２方向に並ぶ複数の前記反射領域からなる反射領域群と、前記反射領域群の端部近傍に配置され、前記反射領域群に光を照射する複数の前記光出射部からなる光出射部群とを含む単位構成が、前記第１方向に複数配置されている、請求項１〜５のいずれか１項に記載の表示装置。
【請求項７】
前記光出射部は、光を発する光源部と、前記光源部からの光を前記反射部に導くレンズとを含み、
前記複数の光出射部は、互いに前記光源部に対する前記レンズの配光特性を異ならせること、または、互いに前記光出射部自体の設置角度を異ならせることにより、光の出射方向を異ならせて、前記反射部の異なる前記反射領域に光を照射するように構成されている、請求項６に記載の表示装置。
【請求項８】
前記光出射部は、前記表示部の表示面に直交する方向において、複数並べて設けられている、請求項１〜７のいずれか１項に記載の表示装置。
【請求項９】
前記複数の光出射部は、それぞれ、前記表示部の表示面に略平行な方向に光を出射するように構成されている、請求項８に記載の表示装置。
【請求項１０】
前記光出射部は、光を発する光源部と、前記光源部からの光を前記反射部に導くレンズとを含み、
前記複数の光出射部の前記レンズは、前記表示部の表示面に直交する方向において、互いに接続されて、一体的に形成されている、請求項８または９に記載の表示装置。
【請求項１１】
前記光出射部は、前記反射部の互いに向かい合う前記端部の一方側に設けられる第１光出射部と、他方側に設けられる第２光出射部とを含む、請求項１〜１０のいずれか１項に記載の表示装置。
【発明の詳細な説明】
【技術分野】
【０００１】
この発明は、表示装置に関し、特に、光出射部と反射部とを備える表示装置に関する。
【背景技術】
【０００２】
従来、光出射部（光源）と、反射部（反射フィルム）とを備える液晶ディスプレイ装置などの表示装置が知られている（たとえば、特許文献１参照）。
【０００３】
上記特許文献１には、表示面を有する表示部と、反射フィルムと、導光板と、導光板の端部（反射フィルムの端部近傍）に配置された複数の光源とを備えた液晶ディスプレイ装置が開示されている。
【０００４】
液晶ディスプレイ装置は、導光板と、反射フィルムとにより複数の光源からの光を表示面の全面に導光するように構成されている。
【先行技術文献】
【特許文献】
【０００５】
【特許文献１】特開２０１５−１０２５７９号公報
【発明の概要】
【発明が解決しようとする課題】
【０００６】
しかしながら、上記特許文献１の液晶ディスプレイ装置では、導光板での拡散と反射フィルムでの反射とにより表示面の全体に導光しており、光の導光位置の制御が十分にできないため、表示面（所定範囲の表示面）ごとの明るさの制御が十分にできないと考えられる。このため、表示面ごとに明るさの制御を行うローカルディミング制御自体を行うことができないという問題点がある。
【０００７】
この発明は、上記のような課題を解決するためになされたものであり、この発明の１つの目的は、反射部の端部近傍に配置された複数の光出射部を制御することにより、ローカルディミング制御を行うことが可能な表示装置を提供することである。
【課題を解決するための手段】
【０００８】
この発明の一の局面による表示装置は、表示部と、表示部に対向して配置され、照射された光を表示部側に反射する反射部と、反射部の互いに異なる反射領域に光を照射可能なように、反射部の端部近傍に配置された複数の光出射部と、複数の光出射部ごとに発光量を調整する制御を行う制御部と、を備える。
【０００９】
この発明の一の局面による表示装置では、上記のように、反射部の互いに異なる反射領域に光を照射可能なように、反射部の端部近傍に配置された複数の光出射部と、複数の光出射部ごとに発光量を調整する制御を行う制御部とを設ける。これにより、光出射部からの光を互いに異なる反射領域に照射することができるので、制御部により、光出射部ごとに発光量を調整することによって、反射領域ごとに光の照射（量）を調整することができる。その結果、各反射領域に対応する表示部の所定範囲の表示面ごとの明るさを調整することができる。すなわち、ローカルディミング制御を行うことができる。
【００１０】
上記一の局面による表示装置において、好ましくは、複数の光出射部は、反射領域が互いに略重複しないように、反射領域に光を照射するように構成されている。このように構成すれば、隣接する他の反射領域からの光の影響をほとんど受けることなく、反射領域の光の照射（量）を調整することができる。その結果、より効果的にローカルディミング制御を行うことができる。
【００１１】
上記一の局面による表示装置において、好ましくは、反射部は、光出射部から出射された光が、導光板を介さずに空間を介して反射部の反射領域に照射されるように構成されている。このように構成すれば、表示装置が導光板を備えないので、装置構成を簡素化することができる。
【００１２】
この場合、好ましくは、反射部は、光出射部側の反射部の一方端部から、一方端部とは逆側の他方端部に向かって、表示部に近づくように傾斜している。このように構成すれば、表示面と平行に反射部が配置される場合と比較して、光出射部側を向くように反射部を配置することができるので、複数の光出射部からの光を、容易に反射領域に照射して、効率的に表示部側に光を反射することができる。
【００１３】
上記光が導光板を介さずに空間を介して反射部の反射領域に照射される構成において、好ましくは、反射部は、表示部に沿って配置され、光を表示部側に反射する反射部本体と、反射部本体から表示部に向けて延びるとともに、光出射部からの光の出射方向に沿って延びており、反射部の反射領域を区画する仕切壁とを含む。このように構成すれば、仕切壁により、仕切壁の一方側の反射領域から他方側の反射領域への光漏れを抑制することができる。
【００１４】
上記一の局面による表示装置において、好ましくは、反射領域は、表示部の表示面と平行な面方向において、マトリクス状に配置され、面方向のうち光出射部側の反射部の端部が延びる第１方向に直交する第２方向に並ぶ複数の反射領域からなる反射領域群と、反射領域群の端部近傍に配置され、反射領域群に光を照射する複数の光出射部からなる光出射部群とを含む単位構成が、第１方向に複数配置されている。このように構成すれば、ローカルディミング制御を行うための単位構成が第１方向に複数配置されているので、単位構成ごとに同様の調整を行うことができる。このため、表示面における明るさおよび暗さ（明暗）のばらつきを効果的に抑制することができる。
【００１５】
この場合、好ましくは、光出射部は、光を発する光源部と、光源部からの光を反射部に導くレンズとを含み、複数の光出射部は、互いに光源部に対するレンズの配光特性を異ならせること、または、互いに光出射部自体の設置角度を異ならせることにより、光の出射方向を異ならせて、反射部の異なる反射領域に光を照射するように構成されている。このように構成すれば、光源部に対するレンズの配光特性を異ならせる場合には、各光出射部を同様の位置に配置することができる。また、互いに光出射部自体の設置角度を異ならせる場合には、同じ構成の光出射部により、互いに異なる反射領域に光を照射することができる。これらにより、複数の光出射部の構成を簡素化することができる。
【００１６】
上記一の局面による表示装置において、好ましくは、光出射部は、表示部の表示面に直交する方向において、複数並べて設けられている。このように構成すれば、表示部の表示面に直交する方向において、反射部に近い一の光出射部から、一の光出射部に近い反射領域に光を照射するとともに、反射部から遠い他の光出射部から、他の光出射部から遠い反射領域に光を照射するように表示装置を構成することができる。このため、反射部に近い一の光出射部から、遠い反射領域に光を照射するとともに、反射部から遠い他の光出射部から、近い反射領域に光を照射する場合と比較して、一の光出射部から反射部に入射する光の入射角と、他の光出射部から反射部に入射する光の入射角との差を小さくすることができる。このため、反射領域から反射された光を表示面の所定範囲に、均等に導くことができる。
【００１７】
この場合、好ましくは、複数の光出射部は、それぞれ、表示部の表示面に略平行な方向に光を出射するように構成されている。このように構成すれば、複数の光出射部から出射された光の反射部への入射角を揃えることができるので、反射領域から反射された光を表示面の所定範囲に、より均等に導くことができる。
【００１８】
上記光出射部が表示部の表示面に直交する方向に複数並べて設けられている構成において、好ましくは、光出射部は、光を発する光源部と、光源部からの光を反射部に導くレンズとを含み、複数の光出射部のレンズは、表示部の表示面に直交する方向において、互いに接続されて、一体的に形成されている。このように構成すれば、複数の光出射部のレンズが一体的に形成されるので、装置構成を簡素化することができる。
【００１９】
上記一の局面による表示装置において、好ましくは、光出射部は、反射部の互いに向かい合う端部の一方側に設けられる第１光出射部と、他方側に設けられる第２光出射部とを含む。このように構成すれば、光出射部が反射部の互いに向かい合う端部の一方側にのみ設けられる場合と比較して、光出射部から反射領域までの最大の導光距離を短くすることができる。これにより、光のエネルギーロスを抑制することができる。
【発明の効果】
【００２０】
本発明によれば、上記のように、反射部の端部近傍に配置された複数の光出射部を制御することにより、ローカルディミング制御を行うことが可能な表示装置を提供することができる。
【図面の簡単な説明】
【００２１】
【図１】本発明の第１〜第６実施形態によるテレビジョン装置を前方から見た全体斜視図である。
【図２】本発明の第１実施形態によるテレビジョン装置を示す図１の８００−８００線に沿った断面図である。
【図３】本発明の第１実施形態によるテレビジョン装置の反射シートと光出射部とを示した斜視図である。
【図４】本発明の第１実施形態によるテレビジョン装置の複数の光出射部をそれぞれ示した側面図である。
【図５】本発明の第１実施形態によるテレビジョン装置の複数の光出射部の各々の配光特性を示した側面図である。
【図６】本発明の第２実施形態によるテレビジョン装置の複数の光出射部の各々の配光特性を示した側面図である。
【図７】本発明の第３実施形態によるテレビジョン装置の複数の光出射部の各々の配光特性を示した側面図である。
【図８】本発明の第４実施形態によるテレビジョン装置の複数の光出射部の各々の配光特性を示した側面図である。
【図９】本発明の第５実施形態によるテレビジョン装置の複数の光出射部の各々の配光特性を示した側面図である。
【図１０】本発明の第６実施形態によるテレビジョン装置の反射シートを示した斜視図である。
【発明を実施するための形態】
【００２２】
以下、本発明の実施形態を図面に基づいて説明する。
【００２３】
［第１実施形態］
図１〜図５を参照して、本発明の第１実施形態によるテレビジョン装置１００の構成について説明する。なお、テレビジョン装置１００は、特許請求の範囲の「表示装置」の一例である。
【００２４】
本発明の第１実施形態によるテレビジョン装置１００は、図１に示すように、画像を表示する表示面１０を有する液晶式の表示部１と、表示部１を収容するフロントキャビネット（前側筐体）２ａおよびリアキャビネット（後側筐体）２ｂとを備えている。また、テレビジョン装置１００は、図２に示すように、制御部３と、表示部１の後方に表示部１に対向して配置される光学シート４と、光学シート４および表示部１の後方に表示部１に対向して配置されるシート状の反射シート５と、反射シート５の下方端部５ａ近傍に配置された光出射部６ａ、６ｂ、６ｃおよび６ｄと、光出射部６ａ〜６ｄが設置される基板７とを備えている。なお、反射シート５は、特許請求の範囲の「反射部」の一例である。
【００２５】
テレビジョン装置１００は、一般的なテレビジョン装置とは異なり、導光板を備えていない。すなわち、テレビジョン装置１００は、光出射部６ａ〜６ｄから出射された光が、導光板を介さずに空間を介して反射シート５の後述する反射領域Ａ１〜Ａ４に直接照射されるように構成されている。
【００２６】
以下では、テレビジョン装置１００の表示面１０側を前方（Ｙ１方向）とし、前方の逆方向を後方（Ｙ２方向）とし、前方および後方に沿う方向を前後方向（Ｙ方向）として説明する。前後方向（Ｙ方向）は、表示部１の表示面１０に直交する方向である。また、前後方向（Ｙ方向）および上下方向（Ｚ方向）に直交する方向を幅方向（Ｘ方向）として説明する。上下方向（Ｚ方向）および幅方向（Ｘ方向）は、表示部１の表示面１０と平行な面方向である。なお、幅方向（Ｘ方向）は、特許請求の範囲の「第１方向」の一例である。また、上下方向（Ｚ方向）は、特許請求の範囲の「第２方向」の一例である。
【００２７】
図１に示すように、フロントキャビネット２ａは、表示部１の周縁部を前面側から覆うように設けられている。また、フロントキャビネット２ａは、表示面１０を前方側に露出させるための矩形状の開口部を有している。リアキャビネット２ｂ（図３参照）は、表示部１の背面側を覆うように設けられている。図２に示すように、リアキャビネット２ｂには、背面カバー２ｃが設けられている。背面カバー２ｃは、リアキャビネット２ｂに対して後方（Ｙ２方向）から脱着可能なように構成されている。背面カバー２ｃの内側には、空間部が設けられている。
【００２８】
制御部（制御基板）３は、背面カバー２ｃの内側の空間部に配置されている。制御部３は、少なくとも、ＣＰＵや、ＲＯＭ、ＲＡＭを有する構成である。制御部３は、テレビジョン装置１００の各部の駆動を制御するように構成されている。たとえば、制御部３は、光出射部６ａ〜６ｄごとに発光量を調整することにより、反射シート５の後述する反射領域Ａ１〜Ａ４ごとに明るさを変化させて、所定範囲の表示面１０ごとに明るさの調整を行う制御（ローカルディミング制御）を行うように構成されている。その結果、表示部１に表示される画像内において、明るい部分と暗い部分との差をより際立たせることが可能となる。つまり、より高いコントラスト（明暗差）を得ることが可能となる。
【００２９】
光学シート４は、光学シート４は、拡散板やその他の機能性シートなどであり、複数設けられている。光学シート４は、反射シート５において反射された光を効率よく表示部１に伝達する機能を有している。
【００３０】
反射シート５は、表示部１側（前方）に光を反射する反射面を有している。また、図３に示すように、反射シート５は、光出射部６ａ〜６ｄ側の下方端部５ａから、下方端部５ａとは逆側の上方端部５ｂに向かって、表示面１０（図２参照）に近づくように傾斜している。すなわち、反射シート５は、上方端部５ｂが下方端部５ａよりも前方側（Ｙ１方向側）に位置するように傾斜している。なお、下方端部５ａは、特許請求の範囲の「一方端部」および「端部」の一例である。また、上方端部５ｂは、特許請求の範囲の「他方端部」の一例である。図３以降、理解容易のため、反射シート５の傾斜角度を誇張して図示している。
【００３１】
反射シート５は、表示部１の後方側（Ｙ２方向側）に、表示部１に沿って配置される反射シート本体５１と、反射シート本体５１の幅方向（Ｘ方向）の両端部から前方に延びるように設けられる側部５２と、反射シート本体５１の上方端部５ｂから前方に延びるように設けられる上部５３とを有している。なお、反射シート本体５１は、特許請求の範囲の「反射部本体」の一例である。
【００３２】
光出射部６ａ〜６ｄは、反射シート５の下方端部５ａ近傍において、幅方向（Ｘ方向）に一直線状に並んで配置されている。
【００３３】
図４（ａ）に示すように、光出射部６ａは、光を発する光源部（ＬＥＤパッケージ）６１と、光源部６１からの光を反射シート５に導くレンズ６２ａとを備えている。レンズ６２ａは、基板７側に光源部６１を配置するための凹部６３ａを含んでいる。凹部６３ａは、レンズ６２ａのＺ方向に延びる中心軸線αに対して、前方（Ｙ２方向）に配置されている。これにより、図５（ａ）に示すように、光出射部６ａは、上方（Ｚ１方向）、かつ、光源部６１に対する中心軸線α側（後方）に向けて光を出射するように構成されている。また、光出射部６ａは、反射シート５の下端近傍に位置する反射領域Ａ１に光を照射するように構成されている。
【００３４】
図４（ｂ）に示すように、光出射部６ｂは、光を発する光源部６１と、光源部６１からの光を反射シート５に導くレンズ６２ｂとを備えている。レンズ６２ｂは、基板７側に光源部６１を配置するための凹部６３ｂを含んでいる。凹部６３ｂは、レンズ６２ｂの中心軸線αに対して、前方（Ｙ２方向）に配置されている。また、凹部６３ｂは、レンズ６２ａの凹部６３ａよりも中心軸線αに近い位置に配置されている。これにより、図５（ｂ）に示すように、光出射部６ｂは、上方（Ｚ１方向）、かつ、光源部６１に対する中心軸線α側（後方）に向けて光を出射するように構成されている。また、光出射部６ｂは、反射領域Ａ１の上方（Ｚ１方向）に隣接して位置する反射シート５の反射領域Ａ２に光を照射するように構成されている。
【００３５】
図４（ｃ）に示すように、光出射部６ｃは、光を発する光源部６１と、光源部６１からの光を反射シート５に導くレンズ６２ｃとを備えている。レンズ６２ｃは、基板７側に光源部６１を配置するための凹部６３ｃを含んでいる。凹部６３ｃは、レンズ６２ｃの中心軸線αに対して、後方（Ｙ１方向）に配置されている。これにより、図５（ｃ）に示すように、光出射部６ｃは、上方（Ｚ１方向）、かつ、光源部６１に対する中心軸線α側（前方）に向けて光を出射するように構成されている。また、光出射部６ｃは、反射領域Ａ２の上方（Ｚ１方向）に隣接して位置する反射シート５の反射領域Ａ３に光を照射するように構成されている。
【００３６】
図４（ｄ）に示すように、光出射部６ｄは、光を発する光源部６１と、光源部６１からの光を反射シート５に導くレンズ６２ｄとを備えている。レンズ６２ｄは、基板７側に光源部６１を配置するための凹部６３ｄを含んでいる。凹部６３ｄは、レンズ６２ｄの中心軸線αに対して、後方（Ｙ１方向）に配置されている。また、凹部６３ｄは、レンズ６２ｃの凹部６３ｃよりも中心軸線αから離間した位置に配置されている。これにより、図５（ｄ）に示すように、光出射部６ｃは、上方（Ｚ１方向）、かつ、光源部６１に対する中心軸線α側（前方）に向けて光を出射するように構成されている。また、光出射部６ｄは、反射領域Ａ３の上方（Ｚ１方向）に隣接して位置する反射シート５の反射領域Ａ４に光を照射するように構成されている。
【００３７】
図５（ａ）〜（ｄ）に示すように、反射領域Ａ１〜Ａ４は、概して、光出射部６ａ〜６ｄの直上に配置されている。
【００３８】
図４（ａ）〜（ｄ）に示すように、レンズ６２ａ〜６２ｄは、光源部６１からの光を反射および屈折させることにより略平行な光にするコリメータレンズである。具体的には、レンズ６２ａ〜６２ｄは、光源部６１の上方（Ｚ１方向）に配置される屈折面６４ａと、光源部６１の側方（Ｚ方向に交差する方向）に配置される反射面６４ｂとを有している。
【００３９】
ここで、レンズ６２ａ〜６２ｄは、互いに異なる形状を有しており、配光特性（光の出射方向）が互いに異なるように構成されている。これにより、レンズ６２ａ〜６２ｄは、光の出射方向を互いに異ならせて、反射シート５の異なる反射領域Ａ１〜Ａ４に光を照射するように構成されている。
【００４０】
図５（ａ）〜（ｄ）に示すように、レンズ６２ａ〜６２ｄは、互いに隣接してＸ方向に並ぶように配置されている。また、レンズ６２ａ〜６２ｄは、反射領域Ａ１〜Ａ４が互いに略重複しないように、反射領域Ａ１〜Ａ４に光を照射するように構成されている。
【００４１】
図３に示すように、テレビジョン装置１００は、幅方向（Ｘ方向）に互いに隣接して並ぶ光出射部６ａ〜６ｄをそれぞれ１つずつ有する光出射部群Ｇ１と、この光出射部群Ｇ１が直下（Ｚ２方向）に配置され、反射領域Ａ１〜Ａ４を１つずつ有する反射領域群Ｇ２とを含む単位構成Ｕを備えている。なお、反射領域群Ｇ２とは、上下方向（Ｚ方向）に並ぶ反射領域Ａ１〜Ａ４の集まりであり、光出射部群Ｇ１とは、一の反射領域群Ｇ２に光を照射する光源（光出射部６ａ〜６ｄ）の集まりである。また、テレビジョン装置１００には、この単位構成Ｕが幅方向（Ｘ方向）に複数（４個）並ぶように配置されている。したがって、反射領域Ａは、表示部１の表示面１０と平行な面方向（上下方向（Ｚ方向）および幅方向（Ｘ方向））において、４行４列のマトリクス状に配置されている。
【００４２】
基板７は、幅方向（Ｘ方向）に直線状に延びる平板形状を有している。基板７の上面（Ｚ１方向側の面）には、光出射部６ａ〜６ｄが設置されている。
【００４３】
（第１実施形態の効果）
第１実施形態では、以下のような効果を得ることができる。
【００４４】
第１実施形態では、上記のように、反射シート５の互いに異なる反射領域Ａに光を照射可能なように、反射シート５の下方端部５ａ近傍に配置された光出射部６ａ〜６ｄと、光出射部６ａ〜６ｄごとに発光量を調整する制御を行う制御部３とを設ける。これにより、光出射部６ａ〜６ｄからの光を互いに異なる反射領域Ａに照射することができるので、制御部３により、光出射部６ａ〜６ｄごとに発光量を調整することによって、反射領域Ａ１〜Ａ４ごとに光の照射（量）を調整することができる。その結果、各反射領域Ａ１〜Ａ４に対応する表示部１の所定範囲の表示面１０ごとの明るさを調整することができる。すなわち、ローカルディミング制御を行うことができる。
【００４５】
また、第１実施形態では、上記のように、光出射部６ａ〜６ｄを、反射領域Ａが互いに略重複しないように、反射領域Ａに光を照射するように構成する。これにより、隣接する他の反射領域Ａからの光の影響をほとんど受けることなく、反射領域Ａの光の照射（量）を調整することができる。その結果、より効果的にローカルディミング制御を行うことができる。
【００４６】
また、第１実施形態では、上記のように、反射シート５を、光出射部６ａ〜６ｄから出射された光が、導光板を介さずに空間を介して反射シート５の反射領域Ａに照射されるように構成する。これにより、テレビジョン装置１００が導光板を備えないので、装置構成を簡素化することができる。
【００４７】
また、第１実施形態では、上記のように、反射シート５を、光出射部６ａ〜６ｄ側の反射シート５の下方端部５ａから、下方端部５ａとは逆側の上方端部５ｂに向かって、表示部１に近づくように傾斜させる。これにより、表示面１０と平行に反射シート５が配置される場合と比較して、光出射部６ａ〜６ｄ側を向くように反射シート５を配置することができるので、光出射部６ａ〜６ｄからの光を、容易に反射領域Ａに照射して、効率的に表示部１側に光を反射することができる。
【００４８】
また、第１実施形態では、上記のように、反射領域Ａを、表示部１の表示面１０と平行な面方向において、マトリクス状に配置し、面方向のうち光出射部６ａ〜６ｄ側の反射シート５の下方端部５ａが延びる第１方向に直交する第２方向に並ぶ複数の反射領域Ａからなる反射領域群Ｇ２と、反射領域群Ｇ２の下方端部５ａ近傍に配置され、反射領域群Ｇ２に光を照射する光出射部６ａ〜６ｄからなる光出射部群Ｇ１とを含む単位構成Ｕを、第１方向に複数配置する。これにより、ローカルディミング制御を行うための単位構成Ｕが第１方向に複数配置されているので、単位構成Ｕごとに同様の調整を行うことができる。このため、表示面１０における明るさおよび暗さ（明暗）のばらつきを効果的に抑制することができる。
【００４９】
また、第１実施形態では、上記のように、光出射部６ａ〜６ｄに、光を発する光源部６１と、光源部６１からの光を反射シート５に導くレンズ６２ａ〜６２ｄとを設ける。これにより、レンズ６２ａ〜６２ｄにより容易に光源部６１からの光の向きを変えることができるので、光出射部６ａ〜６ｄは、互いに異なる反射領域Ａに向けて容易に光を出射することができる。
【００５０】
また、第１実施形態では、上記のように、光出射部６ａ〜６ｄを、互いに光源部６１に対するレンズ６２ａ〜６２ｄの配光特性を異ならせることにより、光の出射方向を異ならせて、反射シート５の異なる反射領域に光を照射するように構成する。これにより、光源部６１に対するレンズ６２ａ〜６２ｄの配光特性を異ならせる場合には、設計上、各光出射部６ａ〜６ｄを同様の位置に配置することができる。また、互いに光出射部６ａ〜６ｄ自体の設置角度を異ならせる場合には、同じ構成の光出射部６ａ〜６ｄにより、互いに異なる反射領域Ａに光を照射することができる。これらにより、光出射部６ａ〜６ｄの構成を簡素化することができる。
【００５１】
また、第１実施形態では、上記のように、レンズ６２ａ〜６２ｄに、光源部６１からの光を反射および屈折させることにより略平行な光にするコリメータレンズを設ける。これにより、コリメータレンズにより略平行な光を容易に得ることができる。これにより、光出射部６ａ〜６ｄは、所定の反射領域Ａに光が略収まるように、光を出射することができる。
【００５２】
［第２実施形態］
次に、図１および図６を参照して、第２実施形態について説明する。この第２実施形態では、光出射部６ａ〜６ｂの形状を異ならせること（配光特性を異ならせること）により、光の出射方向を異ならせて、反射シート５の異なる反射領域Ａ１〜Ａ４に光を照射した上記第１実施形態とは異なり、光出射部２０６ａ〜２０６ｂ自体の設置角度を異ならせることにより、光の出射方向を異ならせて、反射シート５の異なる反射領域Ａ１〜Ａ４に光を照射するように構成した例について説明する。なお、第２実施形態のテレビジョン装置２００（図１参照）は、第１実施形態と同様に、単位構成Ｕが幅方向（Ｘ方向）に複数（４個）並ぶように配置されている。以下の説明では、１個の単位構成Ｕについて説明し、他の単位構成Ｕについて説明を省略する。
【００５３】
図６に示すように、第２実施形態によるテレビジョン装置２００（図１参照）は、光出射部２０６ａ〜２０６ｄを備えている。
【００５４】
光出射部２０６ａ〜２０６ｄは、それぞれ、上記第１実施形態の光出射部６ａ〜６ｄと同様の位置に配置されている。
【００５５】
図６（ａ）に示すように、光出射部２０６ａは、光を発する光源部（ＬＥＤパッケージ）６１と、光源部６１からの光を反射シート５に導くレンズ２６２とを備えている。レンズ２６２は、基板７側に光源部６１を配置するための凹部２６３を含んでいる。凹部２６３は、レンズ２６２のＺ方向に延びる中心軸線α上に配置されている。すなわち、図示しないが、光源部６１は、中心軸線αが延びる方向から見て、レンズ２６２の中心に配置されている。これにより、図６（ａ）に示すように、光出射部２０６ａは、中心軸線αに沿って光出射部２０６ａの上方に向けて光を出射するように構成されている。なお、光出射部２０６ｂ〜２０６ｄは、光出射部２０６ａと同様の構成を備えている。
【００５６】
光出射部２０６ａ〜２０６ｄは、互いに光出射部２０６ａ〜２０６ｄ自体の設置角度を異ならせることにより、光の出射方向を異ならせて、反射シート５の異なる反射領域に光を照射するように構成されている。光出射部２０６ａ〜２０６ｄは、それぞれ、反射領域Ａ１〜Ａ４に光を照射するように構成されている。
【００５７】
第２実施形態のその他の構成は、上記第１実施形態と同様である。
【００５８】
（第２実施形態の効果）
第２実施形態では、以下のような効果を得ることができる。
【００５９】
第２実施形態では、上記のように、光出射部２０６ａ〜２０６ｄは、互いに光出射部２０６ａ〜２０６ｄ自体の設置角度を異ならせることにより、光の出射方向を異ならせて、反射シート５の異なる反射領域Ａに光を照射するように構成されている。これにより、同じ構成の光出射部２０６ａ〜２０６ｄにより、互いに異なる反射領域Ａに光を照射することができる。この結果、光出射部２０６ａ〜２０６ｄの構成を簡素化することができる。
【００６０】
第２実施形態のその他の効果は、上記第１実施形態と同様である。
【００６１】
［第３実施形態］
次に、図１および図７を参照して、第３実施形態について説明する。この第３実施形態では、光出射部６ａ〜６ｂを前後方向（Ｙ方向）において１個配置（１列で配置）した上記第１実施形態とは異なり、光出射部３０６ａおよび３０６ｂ（３０６ｃおよび３０６ｄ）を前後方向（Ｙ方向、表示部１の表示面１０（図２参照）に直交する方向）において複数（２個）並べて配置する例について説明する。なお、第３実施形態のテレビジョン装置３００（図１参照）は、上記第１実施形態と同様に、単位構成Ｕが幅方向（Ｘ方向）に複数（４個）並ぶように配置されている。以下の説明では、１個の単位構成Ｕについて説明し、他の単位構成Ｕについて説明を省略する。
【００６２】
図７に示すように、第３実施形態によるテレビジョン装置３００（図１参照）は、光出射部３０６ａ〜３０６ｄを備えている。
【００６３】
光出射部３０６ａ〜３０６ｄは、それぞれ、上記第１実施形態の光出射部６ａ〜６ｄと同様の構成を備えている。光出射部３０６ａおよび３０６ｂは、前後方向（Ｙ方向）に並ぶように配置されている。また、光出射部３０６ａは、光出射部３０６ｂの後方側（Ｙ２方向側）に配置されている。同様に、光出射部３０６ｃおよび３０６ｄは、前後方向（Ｙ）に並ぶように配置されている。また、光出射部３０６ｃは、光出射部３０６ｄの後方側（Ｙ２方向側）に配置されている。光出射部３０６ｃおよび３０６ｄは、光出射部３０６ａおよび３０６ｂの幅方向一方側（Ｘ１方向側）に隣接して配置されている。なお、光出射部３０６ｃおよび３０６ｄは、光出射部３０６ａおよび３０６ｂの幅方向他方側（Ｘ２方向側）に隣接して配置されていてもよい。
【００６４】
光出射部３０６ａ〜３０６ｄは、それぞれ、反射領域Ａ１〜Ａ４に光を照射するように構成されている。
【００６５】
第３実施形態のその他の構成は、上記第１実施形態と同様である。
【００６６】
（第３実施形態の効果）
第３実施形態では、以下のような効果を得ることができる。
【００６７】
第３実施形態では、上記のように、光出射部３０６ａ〜３０６ｄは、表示部１の表示面１０に直交する方向において、複数並べて設けられている。これにより、表示部１の表示面１０に直交する方向において、反射シート５に近い一の光出射部から、一の光出射部に近い反射領域Ａに光を照射するとともに、反射シート５から遠い他の光出射部から、他の光出射部から遠い反射領域Ａに光を照射するようにテレビジョン装置３００を構成することができる。このため、反射シート５に近い一の光出射部から、遠い反射領域Ａに光を照射するとともに、反射シート５から遠い他の光出射部から、近い反射領域Ａに光を照射する場合と比較して、一の光出射部から反射シート５に入射する光の入射角と、他の光出射部から反射シート５に入射する光の入射角との差を小さくすることができる。このため、反射領域Ａから反射された光を表示面１０の所定範囲に、均等に導くことができる。
【００６８】
第３実施形態のその他の効果は、上記第１実施形態と同様である。
【００６９】
［第４実施形態］
次に、図１および図８を参照して、第４実施形態について説明する。この第４実施形態では、光出射部６ａ〜６ｂを互いに異なる方向に向けて光を出射するように構成した上記第１実施形態とは異なり、光出射部４０６ａ〜４０６ｂを互いに略平行な方向に光を出射するように構成した例について説明する。
【００７０】
図８に示すように、第４実施形態によるテレビジョン装置４００（図１参照）は、光出射部４０６ａ〜４０６ｄを備えている。
【００７１】
光出射部４０６ａ〜４０６ｄは、それぞれ、光源部６１と、光源部６１からの光を表示面１０と略平行なＺ方向に出射するレンズ４６２ａ〜４６２ｄとを有している。つまり、光出射部４０６ａ〜４０６ｄは、互いに平行な方向に光を出射している。また、光出射部４０６ａ〜４０６ｄは、それぞれ、レンズ４６２ａ〜４６２ｄの中心軸線αが上下方向（Ｚ方向）に延びるように配置されている。また、レンズ４６２ａ〜４６２ｄは、前後方向（Ｘ方向）において、互いに接続され、一体的に形成されている。
【００７２】
光出射部４０６ａ〜４０６ｄは、それぞれ、反射領域Ａ１〜Ａ４に光を照射するように構成されている。
【００７３】
第４実施形態のその他の構成は、上記第１実施形態と同様である。
【００７４】
（第４実施形態の効果）
第４実施形態では、以下のような効果を得ることができる。
【００７５】
第４実施形態では、上記のように、光出射部４０６ａ〜４０６ｄを、それぞれ、表示部１の表示面１０に略平行な方向に光を出射するように構成する。これにより、光出射部４０６ａ〜４０６ｄから出射された光の反射シート５への入射角を揃えることができるので、反射領域Ａから反射された光を、表示面１０の所定範囲に、より均等に導くことができる。
【００７６】
第４実施形態では、上記のように、光出射部４０６ａ〜４０６ｄは、光を発する光源部６１と、光源部６１からの光を反射シート５に導くレンズ４６２ａ〜４６２ｄとを含み、光出射部４０６ａ〜４０６ｄのレンズ４６２ａ〜４６２ｄは、表示部１の表示面１０に直交する方向において、互いに接続されて、一体的に形成されている。これにより、光出射部４０６ａ〜４０６ｄのレンズ４６２ａ〜４６２ｄが一体的に形成されるので、装置構成を簡素化することができる。
【００７７】
第４実施形態のその他の効果は、上記第１実施形態と同様である。
【００７８】
［第５実施形態］
次に、図１および図９を参照して、第５実施形態について説明する。この第５実施形態では、光出射部３０６ａ〜３０６ｂを反射シート５の下端近傍にのみ配置した上記第３実施形態とは異なり、光出射部５０６ａ〜５０６ｂを反射シート５０５の下端近傍および上端近傍の両方に配置する例について説明する。
【００７９】
図９に示すように、第５実施形態によるテレビジョン装置５００（図１参照）は、光出射部５０６ａ〜５０６ｄと、反射シート５０５とを備えている。
【００８０】
光出射部５０６ａおよび５０６ｂと、光出射部５０６ｃおよび５０６ｄとは、それぞれ、上下方向（Ｚ方向）において反射シート５０５の互いに向かい合う端部の下方側（一方側）および上方側（他方側）に設けられている。光出射部５０６ａと、光出射部５０６ｃとは、上記第３実施形態の光出射部３０６ａと同様の構成を備えている。また、光出射部５０６ｂと、光出射部５０６ｄとは、上記第３実施形態の光出射部３０６ｂと同様の構成を備えている。なお、光出射部５０６ａおよび５０６ｂは、特許請求の範囲の「第１光出射部」の一例であり、光出射部５０６ｃおよび５０６ｄは、特許請求の範囲の「第２光出射部」の一例である。
【００８１】
反射シート５０５は、上記第３実施形態とは異なり、幅方向（Ｘ方向）から見て、上下方向（Ｚ方向）の中間位置Ｑが前方に突出するシート形状を有している。また、反射シート５０５は、中間位置Ｑの上方に反射領域Ａ１０およびＡ２０を有し、中間位置Ｑの下方に反射領域Ａ１およびＡ２を有している。
【００８２】
光出射部５０６ａ〜５０６ｄは、それぞれ、反射領域Ａ１、Ａ２、Ａ１０およびＡ２０に光を照射するように構成されている。
【００８３】
光出射部５０６ａおよび５０６ｂと、光出射部５０６ｃおよび５０６ｄとは、上下方向において対称な構成である。また、反射シート５０５も、上下方向において、中間位置Ｑに対して対称な構成である。
【００８４】
第５実施形態のその他の構成は、上記第３実施形態と同様である。
【００８５】
（第５実施形態の効果）
第５実施形態では、以下のような効果を得ることができる。
【００８６】
第５実施形態では、上記のように、反射シート５の互いに向かい合う端部の一方側に配置される光出射部５０６ａ、５０６ｂと、他方側に配置される光出射部５０６ｃ、５０６ｄとを設ける。これにより、光出射部が反射シート５の互いに向かい合う端部の一方側にのみ設けられる場合と比較して、光出射部５０６ａ、５０６ｂおよび光出射部５０６ｃ、５０６ｄから反射領域Ａまでの最大の導光距離を短くすることができる。これにより、光のエネルギーロスを抑制することができる。
【００８７】
第５実施形態のその他の効果は、上記第３実施形態と同様である。
【００８８】
［第６実施形態］
次に、図１０を参照して、第６実施形態について説明する。この第６実施形態では、上記第１実施形態の構成に加えて、反射シート６０５が仕切壁６５４を有する例について説明する。
【００８９】
図１０に示すように、第６実施形態によるテレビジョン装置６００（図１参照）は、反射シート６０５を備えている。
【００９０】
反射シート６０５は、仕切壁６５４を含んでいる。仕切壁６５４は、反射シート本体５１から表示部１（図１参照）に向けて延びるとともに、光出射部６ａ〜６ｄ（図３参照）からの光の出射方向に沿って延びている。また、仕切壁６５４は、Ｘ方向の所定間隔ごとに複数（３個）設けられている。仕切壁６５４は、反射部の反射領域ＡをＸ方向に複数（４個）に区画している。
【００９１】
第６実施形態のその他の構成は、上記第１実施形態と同様である。
【００９２】
（第６実施形態の効果）
第６実施形態では、以下のような効果を得ることができる。
【００９３】
第６実施形態では、上記のように、反射シート６０５を、表示部１に沿って配置し、光を表示部１側に反射する反射シート本体５１と、反射シート本体５１から表示部１に向けて延びるとともに、光出射部６ａ〜６ｄからの光の出射方向に沿って延びており、反射シート６０５の反射領域Ａを区画する仕切壁６５４とを設ける。これにより、仕切壁６５４により、仕切壁６５４の一方側の反射領域Ａから他方側の反射領域Ａへの光漏れを抑制することができる。
【００９４】
第６実施形態のその他の効果は、上記第１実施形態と同様である。
【００９５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９６】
たとえば、上記第１〜第６実施形態では、テレビジョン装置に本発明を適用した例を示したが、テレビジョン装置以外の表示装置に本発明を適用してもよい。
【００９７】
また、上記第１〜第６実施形態では、反射シートの上方端部または下方端部に光出射部を配置した例について示したが、本発明はこれに限られない。本発明では、反射シートの幅方向端部に光出射部を配置してもよい。
【００９８】
また、上記第２実施形態では、光出射部自体を傾斜させた例について示したが、本発明はこれに限られない。本発明では、光出射部ではなく、光出射部が設置される基板を傾けてもよい。
【００９９】
また、上記第１〜第６実施形態では、反射領域を４行４列のマトリクス状に配置した例について示したが、本発明はこれに限られない。本発明では、反射領域を５行５列などの４行４列以外のマトリクス状に配置してもよい。
【０１００】
また、上記第１〜第６実施形態では、１つの反射領域に対して１つの光出射部から光を照射するように構成した例について示したが、本発明はこれに限られない。本発明では、１つの反射領域に対して複数の光出射部から光を照射してもよい。
【０１０１】
また、上記第１〜第６実施形態では、特許請求の範囲の「反射部」として、シート状の反射シート５を用いた例について示したが、本発明はこれに限られない。本発明では、シート状以外の反射部を用いてもよい。この場合、反射部の反射面（表示部側の面）が、光出射部側の反射部の一方端部から、一方端部とは逆側の他方端部に向かって、表示部に近づくように傾斜するのが好ましい。
【０１０２】
また、上記第１〜第６実施形態では、テレビジョン装置が導光板を備えない例について示したが、本発明はこれに限られない。本発明では、テレビジョン装置が導光板を備えていてもよい。
【符号の説明】
【０１０３】
１  表示部
３  制御部
５、６０５  反射シート（反射部）
５ａ  下方端部（一方端部、端部）
５ｂ  上方端部（他方端部）
６ａ、６ｂ、６ｃ、６ｄ、２０６ａ、２０６ｂ、２０６ｃ、２０６ｄ、３０６ａ、３０６ｂ、３０６ｃ、３０６ｄ、４０６ａ、４０６ｂ、４０６ｃ、４０６ｄ  光出射部
１０  表示面
５１  反射シート本体（反射部本体）
６１  光源部
６２ａ、６２ｂ、６２ｃ、６２ｄ、２６２、４６２ａ、４６２ｂ、４６２ｃ、４６２ｄ  レンズ  
５０６ａ、５０６ｂ  光出射部（第１光出射部）
５０６ｃ、５０６ｄ  光出射部（第２光出射部）
６５４  仕切壁
１００、２００、３００、４００、５００、６００  テレビジョン装置（表示装置）
Ａ、Ａ１、Ａ２、Ａ３、Ａ４  反射領域
Ｇ１  光出射部群
Ｇ２  反射領域群
Ｕ  単位構成
【図１】
2018197823.tif 000003
【図２】
2018197823.tif 000004
【図３】
2018197823.tif 000005
【図４】
2018197823.tif 000006
【図５】
2018197823.tif 000007
【図６】
2018197823.tif 000008
【図７】
2018197823.tif 000009
【図８】
2018197823.tif 000010
【図９】
2018197823.tif 000011
【図１０】
2018197823.tif 000012